(57)【要約】【課題】  ダイバシティ受信装置としても複数チャネル同時受信装置としても動作させることができ、マルチ録音、マルチ録画、マルチ画面等の多機能化にも対応することができるようにした受信装置を提供する。【解決手段】  ダイバシティ受信用又は複数チャネル同時受信用として独立制御可能な複数の受信ブランチを備えることで、ダイバシティ受信装置としても複数チャネル同時受信装置としても動作させることができるようにする。【選択図】  図１
2007013906.tif 000002
【特許請求の範囲】
【請求項１】
ダイバシティ受信用又は複数チャネル同時受信用として制御可能な複数の受信ブランチを備えることを特徴とする受信装置。
【請求項２】
前記複数の受信ブランチの各々の受信チャネルを制御する第１の制御回路を備えることを特徴とする請求項１記載の受信装置。
【請求項３】
前記第１の制御回路は、ユーザによる切換信号、受信状態信号、ＡＧＣレベル信号、エラーレート信号、出力デバイスに係る優先順位信号の１以上を判断信号として前記複数の受信ブランチのそれぞれの受信チャネルを切り換える機能を有することを特徴とする請求項２記載の受信装置。
【請求項４】
前記複数の受信ブランチが出力する複数の復調信号をダイバシティ合成する信号合成回路と、前記信号合成回路が出力する復調信号および前記複数の受信ブランチが出力する復調信号を入力し、１以上の復調信号を選択する第１の選択回路を備えることを特徴とする請求項１記載の受信装置。
【請求項５】
前記複数の受信ブランチの中の一部複数の受信ブランチが出力する複数の復調信号をダイバシティ合成する１以上の選択信号合成回路を備え、前記第１の選択回路は、前記信号合成回路が出力する復調信号、前記１以上の選択信号合成回路が出力する１以上の復調信号および前記複数の受信ブランチが出力する複数の復調信号を入力し、１以上の復調信号を選択することを特徴とする請求項４記載の受信装置。
【請求項６】
前記第１の選択回路が出力する複数の復調信号に対応して設けられ、該複数の復調信号を復号する複数の復号ブロックを備えることを特徴とする請求項４記載の受信装置。
【請求項７】
前記複数の復号ブロックが出力する複数の復号信号を入力し、１以上の復号信号を選択する第２の選択回路を備えることを特徴とする請求項６記載の受信装置。
【請求項８】
前記第１の選択回路が出力する複数の復調信号を復号する復号ブロックを備え、該復号ブロックを各復調信号に対応して復号ブロックを設けて１つの復調信号を復号する場合の速度のｋ倍（ｋ＞１）の速度で動作させることを特徴とする請求項４記載の受信装置。
【請求項９】
前記復号ブロックが出力する複数の復号信号を入力し、１以上の復号信号を選択する第２の選択回路を備えることを特徴とする請求項８記載の受信装置。
【請求項１０】
前記複数の受信ブランチが出力する複数の復調信号を入力し、該復調信号を前記信号合成回路又は前記第１の選択回路に選択的に出力する第３の選択回路を備えることを特徴とする請求項４記載の受信装置。
【発明の詳細な説明】
【技術分野】
【０００１】
本発明は、複数の受信ブランチを有する受信装置に関する。
【背景技術】
【０００２】
図１０は従来の受信装置の一例の回路図である。この受信装置は、ＯＦＤＭ（直交周波数分割多重）信号用のダイバシティ受信装置であり、２個の受信ブランチ１０、２０を備えている。
【０００３】
受信ブランチ１０において、１１はアンテナ、１２は選局や受信信号の周波数変換を行うチューナ、１３はチューナ１２の出力信号を入力してＡ／Ｄ（アナログ／デジタル）変換や直交復調やフーリエ変換等の処理を行い、復調信号Ｄ１を出力する復調回路である。
【０００４】
受信ブランチ２０において、２１はアンテナ、２２は選局や受信信号の周波数変換を行うチューナ、２３はチューナ２２の出力信号を入力してＡ／Ｄ変換や直交復調やフーリエ変換等の処理を行い、復調信号Ｄ２を出力する復調回路である。
【０００５】
３０は復調回路１３が出力する受信ブランチ１０の復調信号Ｄ１と、復調回路２３が出力する受信ブランチ２０の復調信号Ｄ２とを最大比合成法等により合成して合成復調信号Ｄ３を出力する信号合成回路である。
【０００６】
４０は信号合成回路３０が出力する合成復調信号Ｄ３を入力してデマッピングやデインタリーブ等の処理を行い、符号化データ列（例えば、ＭＰＥＧストリーム）である復号信号Ｄ４を出力する復号ブロックである。
【０００７】
５０は復号ブロック４０が出力する復号信号Ｄ４を入力して復号信号Ｄ４の符号化方式に対応したデコードを行うデコーダ（例えば、ＭＰＥＧデコーダ）、６０はデコーダ５０が出力するデコード信号（映像信号、音声信号）が与えられる出力デバイス（モニタ、録画装置等）である。
【０００８】
【特許文献１】特開２００４−３１２３３３号公報
【特許文献２】特開２００４−１１２１５５号公報
【発明の開示】
【発明が解決しようとする課題】
【０００９】
図１０に示す従来の受信装置では、ダイバシティ方式の受信を行うことができるが、同時に複数チャネルの信号再生を行うことができず、マルチ録音、マルチ録画、マルチ画面等の多機能化に対応することができないという問題点があった。
【００１０】
本発明は、ダイバシティ受信装置としても複数チャネル同時受信装置としても動作させることができ、マルチ録音、マルチ録画、マルチ画面等の多機能化にも対応することができるようにした受信装置を提供することを目的とする。
【課題を解決するための手段】
【００１１】
本発明の受信装置は、ダイバシティ受信用又は複数チャネル同時受信用として制御可能な複数の受信ブランチを備えるものである。
【発明の効果】
【００１２】
本発明によれば、ダイバシティ受信用又は複数チャネル同時受信用として制御可能な複数の受信ブランチを備えるので、ダイバシティ受信装置としても複数チャネル同時受信装置としても動作させることができ、マルチ録音、マルチ録画、マルチ画面等の多機能化にも対応することができる。
【発明を実施するための最良の形態】
【００１３】
以下、本発明の実施形態を図面に基づいて説明する。
（第１の実施形態）
図１は本発明の第１実施形態の回路図である。本発明の第１実施形態は、ＯＦＤＭ信号用の受信装置であり、２個の受信ブランチ７０、８０を備えている。
【００１４】
受信ブランチ７０において、７１はアンテナ、７２は選局や受信信号の周波数変換を行うチューナ、７３はチューナ７２の出力信号を入力してＡ／Ｄ変換や直交復調やフーリエ変換等の処理を行い、復調信号Ｄ１を出力する復調回路である。
【００１５】
受信ブランチ８０において、８１はアンテナ、８２は選局や受信信号の周波数変換を行うチューナ、８３はチューナ８２の出力信号を入力してＡ／Ｄ変換や直交復調やフーリエ変換等の処理を行い、復調信号Ｄ２を出力する復調回路である。
【００１６】
９０は復調回路７３が出力する受信ブランチ７０の復調信号Ｄ１と、復調回路８３が出力する受信ブランチ８０の復調信号Ｄ２とを最大比合成法等により合成して合成復調信号Ｄ３を出力する信号合成回路である。
【００１７】
１００は信号合成回路９０が出力する合成復調信号Ｄ３と、復調回路７３が出力する復調信号Ｄ１と、復調回路８３が出力する復調信号Ｄ２を入力し、次段の復号ブロックに入力する復号入力信号を選択する復号入力信号選択回路であり、本実施形態では、信号合成回路９０が出力する合成復調信号Ｄ３又は復調回路７３、８３が出力する復調信号Ｄ１、Ｄ２を選択できるようにされている。
【００１８】
１１１は復号入力信号選択回路１００が出力する復号入力信号Ｄ４を入力してデマッピングやデインタリーブ等の処理を行い、符号化データ列（例えば、ＭＰＥＧストリーム）である復号信号Ｄ６を出力する復号ブロックである。
【００１９】
１１２は復号入力信号選択回路１００が出力する復号入力信号Ｄ５を入力してデマッピングやデインタリーブ等の処理を行い、符号化データ列（例えば、ＭＰＥＧストリーム）である復号信号Ｄ７を出力する復号ブロックである。
【００２０】
１２０は復号ブロック１１１、１１２が出力する復号信号Ｄ６、Ｄ７を入力し、次段のデコーダに対して出力する復号信号を選択する出力信号選択回路であり、本実施形態では、復号ブロック１１１が出力する復号信号Ｄ６又は復号ブロック１１１、１１２が出力する復号信号Ｄ６、Ｄ７を選択できるようにされている。
【００２１】
なお、出力信号選択回路１２０は、復号信号Ｄ６のみを選択する場合に、復号信号Ｄ６を出力信号Ｄ８、Ｄ９のいずれとして出力させるかの選択制御や、復号信号Ｄ６、Ｄ７を選択する場合に、復号信号Ｄ６、Ｄ７を出力信号Ｄ８、Ｄ９のいずれとして出力させるかの選択制御を可能とされたものである。
【００２２】
１３１は出力信号選択回路１２０の出力信号Ｄ８を入力して出力信号Ｄ８の符号化方式に対応したデコードを行うデコーダ（例えば、ＭＰＥＧデコーダ）、１３２は出力信号選択回路１２０の出力信号Ｄ９を入力して出力信号Ｄ９の符号化方式に対応したデコードを行うデコーダ（例えば、ＭＰＥＧデコーダ）である。
【００２３】
１４１はデコーダ１３１が出力するデコード信号（映像信号、音声信号）が供給される出力デバイスである表示装置、１４２はデコーダ１３２が出力するデコード信号（映像信号、音声信号）が供給される出力デバイスである録画装置である。
【００２４】
１５０は受信状態（ノイズ状態）を示す受信状態信号Ｄ１０、ＡＧＣ（自動利得制御）レベルを示すＡＧＣレベル信号Ｄ１１、ユーザのチャネル切換要求によるユーザ切換信号Ｄ１２およびエラーレートを示すエラーレート信号のうち、１以上、例えば、受信状態信号Ｄ１０、ＡＧＣレベル信号Ｄ１１およびユーザ切換信号Ｄ１２を判断信号として、選局制御信号Ｄ１３、Ｄ１４をチューナ７２、８２に供給し、チューナ７２、８２の選局動作を制御する制御回路である。
【００２５】
１６０は受信状態信号Ｄ１０、ＡＧＣレベル信号Ｄ１１、ユーザ切換信号Ｄ１２およびエラーレート信号のうち、１以上、例えば、受信状態信号Ｄ１０、ＡＧＣレベル信号Ｄ１１およびユーザ切換信号Ｄ１２を判断信号として、復号入力信号選択制御信号Ｄ１５を復号入力信号選択回路１００に供給し、復号入力信号選択回路１００の復号入力信号選択動作を制御する制御回路である。
【００２６】
１７０は受信状態信号Ｄ１０、ＡＧＣレベル信号Ｄ１１、ユーザ切換信号Ｄ１２およびエラーレート信号のうち、１以上、例えば、受信状態信号Ｄ１０、ＡＧＣレベル信号Ｄ１１およびユーザ切換信号Ｄ１２を判断信号として、出力信号選択制御信号Ｄ１６を出力信号選択回路１２０に供給し、出力信号選択回路１２０の出力信号選択動作を制御するものである。
【００２７】
このように構成された本発明の第１実施形態においては、受信ブランチ７０、８０で同一チャネルの復調信号を得るようにし、復号入力信号選択回路１００で信号合成回路９０が出力する合成復調信号Ｄ３のみを復号入力信号Ｄ４として選択し、出力信号選択回路１２０で復号ブロック１１１が出力する復号信号Ｄ６を出力信号Ｄ８として選択するように制御する場合には、受信ブランチ７０、８０をダイバシティ受信用に使用し、本発明の一実施形態をダイバシティ受信装置として動作させることができ、受信ブランチ７０、８０で受信した受信内容を表示装置１４１に表示することができる。
【００２８】
なお、この場合において、出力信号選択回路１２０で復号ブロック１１１が出力する復号信号Ｄ６を出力信号Ｄ９として選択するように制御する場合には、受信ブランチ７０、８０で受信した受信内容を録画装置１４２に録画することができる。
【００２９】
これに対して、受信ブランチ７０、８０で異なるチャネルの復調信号を得るようにし、復号入力信号選択回路１００で復調回路７３、８３が出力する復調信号Ｄ１、Ｄ２を復号入力信号Ｄ４、Ｄ５として選択し、出力信号選択回路１２０で復号ブロック１１１、１１２が出力する復号信号Ｄ６、Ｄ７を出力信号Ｄ８、Ｄ９として選択するように制御する場合には、受信ブランチ７０、８０を２チャネル同時受信用に使用し、本発明の一実施形態を２チャネル同時受信装置として動作させることができ、受信ブランチ７０で受信した受信内容を表示装置１４１に表示し、受信ブランチ８０で受信した受信内容を録画装置１４２に録画することができる。
【００３０】
この場合において、受信ブランチ７０、８０のうち、受信ブランチ７０による受信チャネルを優先するようにし、受信ブランチ７０のノイズ状態が良くない場合には、受信ブランチ８０でも受信ブランチ７０と同一チャネルの復調信号を得るようにし、２個の受信ブランチ７０、８０を有するダイバシティ受信装置として動作するように、制御回路１５０、１６０、１７０により動作形態を切り換えることができる。
【００３１】
なお、例えば、表示装置１４１の代わりに、録画装置を使用する場合には、マルチ録音、マルチ録画を行うことができる。また、例えば、デコーダ１３２の出力を表示装置１４１にも与える場合には、マルチ画面を表示することができる。
【００３２】
以上のように、本発明の第１実施形態によれば、ダイバシティ受信用又は２チャネル同時受信用として制御可能な２個の受信ブランチ７０、８０を備えているので、ダイバシティ受信装置としても２チャネル同時受信装置としても動作させることができ、マルチ録音、マルチ録画、マルチ画面等の多機能化にも対応することができる。
【００３３】
（第２の実施形態）
次に、本発明の第２の実施形態について説明する。
図２は本発明の第２実施形態の回路図である。本発明の第２実施形態は、図１に示す復号ブロック１１１、１１２の代わりに、機能の異なる復号ブロック１１３を設け、その他については、図１に示す本発明の第１実施形態と同様に構成したものである。
【００３４】
復号ブロック１１３は、復号入力信号選択回路１００が復号入力信号Ｄ４のみを出力する場合には、図１に示す復号ブロック１１１、１１２と同一の速度で動作し、復号入力信号Ｄ４を入力してデマッピングやデインタリーブ等の処理を行い復号信号Ｄ６を出力し、復号入力信号選択回路１００が復号入力信号Ｄ４、Ｄ５を出力する場合には、図１に示す復号ブロック１１１、１１２の２倍の速度で動作し、復号入力信号Ｄ４、Ｄ５を入力して時分割でデマッピングやデインタリーブ等の処理を行い復号信号Ｄ６、Ｄ７を出力するように制御されるものである。
【００３５】
本発明の第２実施形態においても、本発明の第１実施形態と同様に、ダイバシティ受信用又は２チャネル同時受信用として制御可能な２個の受信ブランチ７０、８０を備えているので、ダイバシティ受信装置としても２チャネル同時受信装置としても動作させることができ、マルチ録音、マルチ録画、マルチ画面等の多機能化にも対応することができる。
【００３６】
（第３の実施形態）
次に、本発明の第３の実施形態について説明する。
図３は本発明の第３実施形態の回路図である。本発明の第３実施形態は、ＯＦＤＭ変調信号用の受信装置であり、３個の受信ブランチ１８０、１９０、２００を備えている。
【００３７】
受信ブランチ１８０において、１８１はアンテナ、１８２は選局や受信信号の周波数変換を行うチューナ、１８３はチューナ１８２の出力信号のＡ／Ｄ変換や直交復調やフーリエ変換等の処理を行い、復調信号Ｅ１を出力する復調回路である。
【００３８】
受信ブランチ１９０において、１９１はアンテナ、１９２は選局や受信信号の周波数変換を行うチューナ、１９３はチューナ１９２の出力信号のＡ／Ｄ変換や直交復調やフーリエ変換等の処理を行い、復調信号Ｅ２を出力する復調回路である。
【００３９】
受信ブランチ２００において、２０１はアンテナ、２０２は選局や受信信号の周波数変換を行うチューナ、２０３はチューナ２０２の出力信号のＡ／Ｄ変換や直交復調やフーリエ変換等の処理を行い、復調信号Ｅ３を出力する復調回路である。
【００４０】
２１１は復調回路１８３が出力する受信ブランチ１８０の復調信号Ｅ１と、復調回路１９３が出力する受信ブランチ１９０の復調信号Ｅ２と、復調回路２０３が出力する受信ブランチ２００の復調信号Ｅ３とを最大比合成法等により合成して合成復調信号Ｅ４を出力する信号合成回路である。
【００４１】
２１２は復調回路１８３が出力する受信ブランチ１８０の復調信号Ｅ１と、復調回路１９３が出力する受信ブランチ１９０の復調信号Ｅ２とを選択して最大比合成法等により合成して合成復調信号Ｅ５を出力する選択信号合成回路である。
【００４２】
２１３は復調回路１９３が出力する受信ブランチ１９０の復調信号Ｅ２と、復調回路２０３が出力する受信ブランチ２００の復調信号Ｅ３とを選択して最大比合成法等により合成して合成復調信号Ｅ６を出力する選択信号合成回路である。
【００４３】
２１４は復調回路２０３が出力する受信ブランチ２００の復調信号Ｅ３と、復調回路１８３が出力する受信ブランチ１８０の復調信号Ｅ１とを選択して最大比合成法等により合成して合成復調信号Ｅ７を出力する選択信号合成回路である。
【００４４】
なお、選択信号合成回路２１２、２１３、２１４は、復調回路１８３、１９３、２０３が出力する復調信号Ｅ１、Ｅ２、Ｅ３を入力し、これら復調信号Ｅ１、Ｅ２、Ｅ３のうち、所望の２個の復調信号を選択できるように制御可能な構成としても良い。
【００４５】
２２０は信号合成回路２１１が出力する合成復調信号Ｅ４と、選択信号合成回路２１２、２１３、２１４が出力する合成復調信号Ｅ５、Ｅ６、Ｅ７と、復調回路１８３、１９３、２０３が出力する復調信号Ｅ１、Ｅ２、Ｅ３を入力し、次段の復号ブロックに入力する復号入力信号を選択する復号入力信号選択回路であり、本実施形態では、１〜３個の復調信号を選択できるようにされている。
【００４６】
２３１は復号入力信号選択回路２２０が出力する復号入力信号Ｅ８を入力してデマッピングやデインタリーブ等の処理を行い、符号化データ列（例えば、ＭＰＥＧストリーム）である復号信号Ｅ１１を出力する復号ブロックである。
【００４７】
２３２は復号入力信号選択回路２２０が出力する復号入力信号Ｅ９を入力してデマッピングやデインタリーブ等の処理を行い、符号化データ列（例えば、ＭＰＥＧストリーム）である復号信号Ｅ１２を出力する復号ブロックである。
【００４８】
２３３は復号入力信号選択回路２２０が出力する復号入力信号Ｅ１０を入力してデマッピングやデインタリーブ等の処理を行い、符号化データ列（例えば、ＭＰＥＧストリーム）である復号信号Ｅ１３を出力する復号ブロックである。
【００４９】
２４０は復号ブロック２３１、２３２、２３３が出力する復号信号Ｅ１１、Ｅ１２、Ｅ１３を入力し、次段のデコーダに出力する復号信号を選択する出力信号選択回路であり、本実施形態では、１〜３個の復号信号を選択できるようにされている。
【００５０】
なお、出力信号選択回路２４０は、復号信号Ｅ１１のみを選択する場合に、復号信号Ｅ１１を出力信号Ｅ１４、Ｅ１５、Ｅ１６のいずれとして出力させるかの選択制御や、復号信号Ｅ１１、Ｅ１２を選択する場合に、復号信号Ｅ１１、Ｅ１２を出力信号Ｅ１４、Ｅ１５、Ｅ１６のいずれとして出力させるかの選択制御や、復号信号Ｅ１１、Ｅ１２、Ｅ１３を選択する場合に、復号信号Ｅ１１、Ｅ１２、Ｅ１３を出力信号Ｅ１４、Ｅ１５、Ｅ１６のいずれとして出力させるかの選択制御を可能とされたものである。
【００５１】
２５１は出力信号選択回路２４０の出力信号Ｅ１４を入力して出力信号Ｅ１４の符号化方式に対応したデコードを行うデコーダ、２５２は出力信号選択回路２４０の出力信号Ｅ１５を入力して出力信号Ｅ１５の符号化方式に対応したデコードを行うデコーダ、２５３は出力信号選択回路２４０の出力信号Ｅ１６を入力して出力信号Ｅ１６の符号化方式に対応したデコードを行うデコーダである。なお、デコーダ２５１、２５２、２５３は、例えば、ＭＰＥＧデコーダである。
【００５２】
２６１はデコーダ２５１が出力するデコード信号（映像信号、音声信号）が供給される表示装置や録画装置等の出力デバイス、２６２はデコーダ２５２が出力するデコード信号（映像信号、音声信号）が供給される表示装置や録画装置等の出力デバイス、２６３はデコーダ２５３が出力するデコード信号（映像信号、音声信号）が供給される表示装置や録画装置等の出力デバイスである。
【００５３】
２７０は受信状態（ノイズ状態）を示す受信状態信号Ｅ１７、ＡＧＣレベルを示すＡＧＣレベル信号Ｅ１８、ユーザのチャネル切換要求によるユーザ切換信号Ｅ１９およびエラーレートを示すエラーレート信号のうち、１以上、例えば、受信状態信号Ｅ１７、ＡＧＣレベル信号Ｅ１８およびユーザ切換信号Ｅ１９を判断信号として、選局制御信号Ｅ２０、Ｅ２１、Ｅ２２をそれぞれチューナ１８２、１９２、２０２に供給し、チューナ１８２、１９２、２０２の選局動作を制御する制御回路である。
【００５４】
２８０は受信状態信号Ｅ１７、ＡＧＣレベル信号Ｅ１８、ユーザ切換信号Ｅ１９およびエラーレート信号のうち、１以上、例えば、受信状態信号Ｅ１７、ＡＧＣレベル信号Ｅ１８およびユーザ切換信号Ｅ１９を判断信号として、復号入力信号選択制御信号Ｅ２３を復号入力信号選択回路２２０に供給し、復号入力信号選択回路２２０の復号入力信号選択動作を制御する制御回路である。
【００５５】
２９０は受信状態信号Ｅ１７、ＡＧＣレベル信号Ｅ１８、ユーザ切換信号Ｅ１９およびエラーレート信号のうち、１以上、例えば、受信状態信号Ｅ１７、ＡＧＣレベル信号Ｅ１８およびユーザ切換信号Ｅ１９を判断信号として、出力信号選択制御信号Ｅ２４を出力信号選択回路２４０に供給し、出力信号選択回路２４０の出力信号選択動作を制御する制御回路である。
【００５６】
このように構成された本発明の第３実施形態においては、例えば、受信ブランチ１８０、１９０、２００で同一チャネルの復調信号を得るようにし、復号入力信号選択回路２２０で信号合成回路２１１が出力する合成復調信号Ｅ４を復号入力信号Ｅ８として選択し、出力信号選択回路２４０で復号ブロック２３１が出力する復号信号Ｅ１１を出力信号Ｅ１４として選択するように制御する場合には、３個の受信ブランチを有するダイバシティ受信装置として動作させることができる。
【００５７】
これに対して、例えば、受信ブランチ１８０、１９０で同一チャネルの復調信号を得るようにし、復号入力信号選択回路２２０で選択信号合成回路２１２が出力する合成復調信号Ｅ５を復号入力信号Ｅ８として選択し、出力信号選択回路２４０で復号ブロック２３１が出力する復号信号Ｅ１１を出力信号Ｅ１４として選択するように制御する場合には、２個の受信ブランチを有するダイバシティ受信装置として機能させることができる。
【００５８】
また、例えば、受信ブランチ１９０、２００で同一チャネルの復調信号を得るようにし、復号入力信号選択回路２２０で選択信号合成回路２１３が出力する合成復調信号Ｅ６を復号入力信号Ｅ８として選択し、出力信号選択回路２４０で復号ブロック２３１が出力する復号信号Ｅ１１を出力信号Ｅ１４として選択するように制御する場合には、２個の受信ブランチを有するダイバシティ受信装置として機能させることができる。
【００５９】
また、例えば、受信ブランチ１８０、２００で同一チャネルの復調信号を得るようにし、復号入力信号選択回路２２０で選択信号合成回路２１４が出力する合成復調信号Ｅ７を復号入力信号Ｅ８として選択し、出力信号選択回路２４０で復号ブロック２３１が出力する復号信号Ｅ１１を出力信号Ｅ１４として選択するように制御する場合には、２個の受信ブランチを有するダイバシティ受信装置として動作させることができる。
【００６０】
また、例えば、受信ブランチ１８０、１９０で同一チャネルの復調信号を得ると共に、受信ブランチ２００で受信ブランチ１８０、１９０と異なるチャネルの復調信号を得るようにし、復号入力信号選択回路２２０で選択信号合成回路２１２が出力する合成復調信号Ｅ５と、受信ブランチ２００が出力する復調信号Ｅ３を復号入力信号Ｅ８、Ｅ９として選択し、出力信号選択回路２４０で復号ブロック２３１、２３２が出力する復号信号Ｅ１１、Ｅ１２を出力信号Ｅ１４、Ｅ１５として選択するように制御する場合には、２チャネル同時受信装置として動作させることができ、かつ、一方の受信信号についてはダイバシティ受信効果を得ることができる。
【００６１】
この場合において、受信ブランチ１８０、１９０による受信チャネルを優先するようにし、受信ブランチ１８０、１９０のノイズ状態が良くない場合には、受信ブランチ２００でも受信ブランチ１８０、１９０と同一チャネルの復調信号を得るようにし、３個の受信ブランチを有するダイバシティ受信装置として動作するように、制御回路２７０、２８０、２９０による制御により動作形態を切り換えることができる。
【００６２】
また、例えば、受信ブランチ１９０、２００で同一チャネルの復調信号を得ると共に、受信ブランチ１８０で受信ブランチ１９０、２００と異なるチャネルの復調信号を得るようにし、復号入力信号選択回路２２０で選択信号合成回路２１３が出力する合成復調信号Ｅ６と、受信ブランチ１８０が出力する復調信号Ｅ１を復号入力信号Ｅ８、Ｅ９として選択し、出力信号選択回路２４０で復号ブロック２３１、２３２が出力する復号信号Ｅ１１、Ｅ１２を出力信号Ｅ１４、Ｅ１５として選択するように制御する場合には、２チャネル同時受信装置として動作させることができ、かつ、一方の受信信号についてはダイバシティ受信効果を得ることができる。
【００６３】
この場合において、受信ブランチ１９０、２００による受信チャネルを優先するようにし、受信ブランチ１９０、２００のノイズ状態が良くない場合には、受信ブランチ１８０でも受信ブランチ１９０、２００と同一チャネルの復調信号を得るようにし、３個の受信ブランチを有するダイバシティ受信装置として動作するように、制御回路２７０、２８０、２９０による制御により動作形態を切り換えることができる。
【００６４】
また、例えば、受信ブランチ１８０、２００で同一チャネルの復調信号を得ると共に、受信ブランチ１９０で受信ブランチ１８０、２００と異なるチャネルの復調信号を得るようにし、復号入力信号選択回路２２０で選択信号合成回路２１４が出力する合成復調信号Ｅ７と、受信ブランチ１９０が出力する復調信号Ｅ２を復号入力信号Ｅ８、Ｅ９として選択し、出力信号選択回路２４０で復号ブロック２３１、２３２が出力する復号信号Ｅ１１、Ｅ１２を出力信号Ｅ１４、Ｅ１５として選択するように制御する場合には、２チャネル同時受信装置として動作させることができ、かつ、一方の受信信号についてはダイバシティ受信効果を得ることができる。
【００６５】
この場合において、受信ブランチ１８０、２００による受信チャネルを優先するようにし、受信ブランチ１８０、２００のノイズ状態が良くない場合には、受信ブランチ１９０でも受信ブランチ１８０、２００と同一チャネルの復調信号を得るようにし、３個の受信ブランチを有するダイバシティ受信装置として動作するように、制御回路２７０、２８０、２９０による制御により動作形態を切り換えることができる。
【００６６】
また、例えば、受信ブランチ１８０、１９０、２００で異なるチャネルの復調信号を得るようにし、復号入力信号選択回路２２０で復調回路１８３、１９３、２０３が出力する復調信号Ｅ１、Ｅ２、Ｅ３を復号入力信号Ｅ８、Ｅ９、Ｅ１０として選択し、出力信号選択回路２４０で復号ブロック２３１、２３２、２３３が出力する復号信号Ｅ１１、Ｅ１２、Ｅ１３を選択するように制御する場合には、３個の受信ブランチを有する３チャネル同時受信装置として動作させることができる。
【００６７】
この場合において、受信ブランチ１８０による受信チャネルを優先するようにし、受信ブランチ１８０のノイズ状態が良くない場合には、受信ブランチ１９０又は受信ブランチ１９０、２００でも受信ブランチ１８０と同一チャネルの復調信号を得るようにし、２又は３個の受信ブランチを有するダイバシティ受信装置として動作するように、制御回路２７０、２８０、２９０により動作形態を切り換えることができる。
【００６８】
以上のように、本発明の第３実施形態によれば、ダイバシティ受信用又は２チャネル同時受信用又は３チャネル同時受信用として制御可能な３個の受信ブランチ１８０、１９０、２００を備えているので、ダイバシティ受信装置としても２チャネル同時受信装置としても３チャネル同時受信装置としても動作させることができ、マルチ録音、マルチ録画、マルチ画面等の多機能化にも対応することができる。
【００６９】
（第４の実施形態）
次に、本発明の第４の実施形態について説明する。
図４は本発明の第４実施形態の回路図である。本発明の第４実施形態は、図３に示す復号ブロック２３１〜２３３の代わりに、機能の異なる復号ブロック２３４を設け、その他については、図３に示す本発明の第３実施形態と同様に構成したものである。
【００７０】
復号ブロック２３４は、復号入力信号選択回路２２０が復号入力信号Ｅ８のみを出力する場合には、図３に示す復号ブロック２３１〜２３３と同一速度で動作して、復号入力信号Ｅ８を入力してデマッピングやデインタリーブ等の処理を行い復号信号Ｅ１１を出力し、復号入力信号選択回路２２０が復号入力信号Ｅ８、Ｅ９のみを出力する場合には、図３に示す復号ブロック２３１〜２３３の２倍の速度で動作して、復号入力信号Ｅ８、Ｅ９を入力して時分割でデマッピングやデインタリーブ等の処理を行い復号信号Ｅ１１、Ｅ１２を出力し、復号入力信号選択回路２２０が復号入力信号Ｅ８、Ｅ９、Ｅ１０を出力する場合には、図３に示す復号ブロック２３１〜２３３の３倍の速度で動作して、復号入力信号Ｅ８、Ｅ９、Ｅ１０を入力して時分割でデマッピングやデインタリーブ等の処理を行い復号信号Ｅ１１、Ｅ１２、Ｅ１３を出力するように制御されるものである。
【００７１】
本発明の第４実施形態においても、本発明の第３実施形態と同様に、ダイバシティ受信用又は２チャネル同時受信用又は３チャネル同時受信用として制御可能な３個の受信ブランチ１８０、１９０、２００を備えているので、ダイバシティ受信装置としても２チャネル同時受信装置としても３チャネル同時受信装置としても動作させることができ、マルチ録音、マルチ録画、マルチ画面等の多機能化にも対応することができる。
【００７２】
なお、本発明の第１、第２実施形態では、２個の受信ブランチ７０、８０を設ける場合について説明し、第３、第４実施形態では、３個の受信ブランチ１８０、１９０、２００を設ける場合について説明したが、本発明は、４個以上の受信ブランチを設ける場合にも適用することができる。
【００７３】
（第５の実施形態）
次に、本発明の第５の実施形態について説明する。
図５は本発明の第５の実施形態による受信装置の構成例を示すブロック図である。第５の実施形態による受信装置は、ＯＦＤＭ変調信号用の受信装置であり、複数の受信ブランチ３００−ｉを備えている。なお、ｉは添え字であり、ｉ＝１〜Ｎの整数（Ｎは２以上の任意の整数）である（以下の説明においても同様）。
【００７４】
受信ブランチ３００−ｉにおいて、３０１−ｉはアンテナ、３０２−ｉは選局や受信信号の周波数変換を行うチューナである。また、３０３−ｉは、対応するチューナ３０２−ｉの出力信号を入力してＡ／Ｄ変換や直交復調やフーリエ変換等の処理を行い、復調信号Ｆ１−ｉを出力する復調回路である。
【００７５】
３１０は復調回路３０３−ｉが出力する受信ブランチ３００−ｉの復調信号Ｆ１−ｉを入力し、次段の信号合成回路群３２０に入力する復調信号Ｆ２−ｉ及び次段の復号入力信号選択回路３３０に入力する復調信号Ｆ２’−ｉを選択する合成信号入力選択回路である。すなわち、合成信号入力選択回路３１０は、復調回路３０３−ｉが出力する受信ブランチ３００−ｉの復調信号Ｆ１−ｉの伝送パスを適宜切り換えて、次段の信号合成回路群３２０により、どの受信ブランチ３００−ｉの復調信号Ｆ１−ｉを合成してどの受信ブランチ３００−ｉの復調信号Ｆ１−ｉを合成しないか、どの系統の受信ブランチ３００−ｉの復調信号Ｆ１−ｉを合成するかなどを制御するためのものである。
【００７６】
３２０は合成信号入力選択回路３１０が出力する復調信号Ｆ２−ｉを合成することにより合成復調信号Ｆ３−ｊを出力する信号合成回路群である。信号合成回路群３２０は、それぞれが入力される２つの信号を最大比合成法等により合成し出力する複数の信号合成回路で構成されている。なお、ｊは添え字であり、ｊ＝１〜（Ｎ−１）の整数である。
【００７７】
３３０は信号合成回路群３２０が出力する合成復調信号Ｆ３−ｊと、合成信号入力選択回路３１０が出力する復調信号Ｆ２’−ｉとを入力し、次段の復号ブロックに入力する復号入力信号を選択する復号入力信号選択回路である。本実施形態では、復号入力信号選択回路３３０は、１〜Ｎ個の復調信号を選択できるようにされている。
【００７８】
３４０−ｉは、復号入力信号選択回路３３０が出力する復号入力信号Ｆ４−ｉを入力してデマッピングやデインタリーブ等の処理を行い、符号化データ列（例えば、ＭＰＥＧストリーム）である復号信号Ｆ５−ｉを出力する復号ブロックである。ここで、本実施形態の受信装置において、受信して得られる復調信号の数は、最大でも受信ブランチ３００−ｉと同数のＮ個であるので、復号ブロック３４０−ｉはＮ個備えていれば良い。
【００７９】
３５０は復号ブロック３４０−ｉが出力する復号信号Ｆ５−ｉを入力し、次段のデコーダなどに対して出力する復号信号を選択する出力信号選択回路である。本実施形態では、出力信号選択回路３５０は、１〜Ｎ個の復号信号を選択できるようにされている。なお、出力信号選択回路３５０は、復号信号Ｆ５−ｉを選択する場合に、その復号信号Ｆ５−ｉを出力信号Ｆ６−ｉのいずれとして出力させるかの選択制御を可能とされたものである。
【００８０】
３６０−ｉはそれぞれ出力信号選択回路３５０の出力信号Ｆ６−ｉを入力して出力信号Ｆ６−ｉの符号化方式に対応したデコードを行うデコーダ（例えば、ＭＰＥＧデコーダ）である。
【００８１】
３７１はデコーダ３６０−１が出力するデコード信号（映像信号、音声信号）が供給される表示装置や記録装置（録画装置や録音装置）等の出力デバイス、３７２は出力信号選択回路３５０が出力する出力信号Ｆ６−２として復号ブロックにて復号されたデータがそのまま供給される記録装置等の出力デバイスである。また、３７３、３７４は、デコーダ３６０−（Ｎ−１）、３６０−Ｎが出力するデコード信号（映像信号、音声信号）が供給される表示装置や記録装置等の出力デバイスである。なお、図５においては、出力デバイスの一例として、３７１を表示装置とし、３７２を記録装置として図示している。
【００８２】
３８０は、入力される判断信号に基づいて、選局制御信号Ｆ１１−ｉをそれぞれ対応するチューナ３０２−ｉに供給し、チューナ３０２−ｉの選局動作を制御する制御回路である。
【００８３】
３９０は、入力される判断信号に基づいて、復調信号選択制御信号Ｆ１２を合成信号入力選択回路３１０に供給し、合成信号入力選択回路３１０の復調信号選択動作を制御する制御回路である。
【００８４】
４００は、入力される判断信号に基づいて、復号入力信号選択制御信号Ｆ１３を復号入力信号選択回路３３０に供給し、復号入力信号選択回路３３０の復号入力信号選択動作を制御する制御回路である。
【００８５】
４１０は、入力される判断信号に基づいて、出力信号選択制御信号Ｆ１４を出力信号選択回路３５０に供給し、出力信号選択回路３５０の出力信号選択動作を制御する制御回路である。
【００８６】
ここで、制御回路３８０、３９０、４００、４１０は、受信信号に係るエラーレートを示すエラーレート信号Ｆ７、ＡＧＣレベルを示すＡＧＣレベル信号Ｆ８、後段に接続する出力デバイスのうちどれを優先するか、つまり出力デバイスの優先順位を示す優先順位信号Ｆ９、ユーザのチャネル切換要求によるユーザ切換信号Ｆ１０、及び受信状態（ノイズ状態）を示す受信状態信号のうち、１以上、例えば、エラーレート信号Ｆ７、ＡＧＣレベル信号Ｆ８、優先順位信号Ｆ９、及びユーザ切換信号Ｆ１０を判断信号として制御を行うとともに、それぞれ独立して制御を行うことが可能である。
【００８７】
図６は信号合成回路群３２０の構成例を示す図である。
図６において、３２１−１〜３２１−ｍ、３２２−１〜３２２−ｎ、及び３２３は、それぞれ入力される２信号を最大比合成法等により合成し出力する信号合成回路である。ここで、受信ブランチ３００−ｉの数をＮとすると、ｍは（Ｎ／２）であり、ｎは（Ｎ／４）である。
【００８８】
図６に示すように、信号合成回路群３２０は、（Ｎ／２）個、（Ｎ／４）個、（Ｎ／８）個、…、１個の信号合成回路を各組として、（Ｎ／２）個の組の信号合成回路の出力を（Ｎ／４）個の組の信号合成回路の入力とし、（Ｎ／４）個の組の信号合成回路の出力を（Ｎ／８）個の組の信号合成回路の入力とする。このようにして、以下同様に信号合成回路を複数段接続して構成されている。つまり、信号合成回路群３２０は、受信装置が備える受信ブランチの数をＮ個とすると、出力側から入力側に向かって段毎に信号合成回路の数が２倍となるようにして総計で（Ｎ−１）個の信号合成回路を用いることで、Ｎ個の受信ブランチの復調信号を任意の組み合わせで合成した合成復調信号を生成することが可能となる。なお、信号合成回路群３２０を構成する信号合成回路は、選択ダイバシティとして動作させるための選択信号合成回路として適宜置き換えても良い。
【００８９】
例えば、図６に示すように信号合成回路３２１−１〜３２１−ｍは、合成信号入力選択回路３１０が出力する復調信号Ｆ２−ｉのうち、いずれか２つの復調信号Ｆ２−ｉを最大比合成法等により合成し合成復調信号を出力する。信号合成回路３２１−１〜３２１−ｍにて得られる合成復調信号のそれぞれは、合成復調信号Ｆ３−ｊとして出力されるとともに、次段の信号合成回路３２２−１〜３２１−ｎのいずれかに出力される。
【００９０】
具体的には、図６に示した例において、信号合成回路３２１−１、３２１−２にてそれぞれ得られた合成復調信号は、合成復調信号Ｆ３−ｊとして出力されるとともに、次段の信号合成回路３２２−１に対して合成復調信号ＳＡ、ＳＢとして出力される。同様に、信号合成回路３２１−（ｍ−１）、３２１−ｍにてそれぞれ得られた合成復調信号は、合成復調信号Ｆ３−ｊとして出力されるとともに、次段の信号合成回路３２２−ｎに対して合成復調信号ＳＣ、ＳＤとして出力される。
【００９１】
また、信号合成回路３２１−１〜３２１−ｎは、信号合成回路３２１−１〜３２１−ｍが出力する２つの合成復調信号が入力され、それら合成復調信号を最大比合成法等により合成し合成復調信号を出力する。信号合成回路３２１−１〜３２１−ｎにて得られる合成復調信号のそれぞれは、合成復調信号Ｆ３−ｊとして出力されるとともに、次段の信号合成回路のいずれかに出力される。
【００９２】
具体的には、図６に示した例において、信号合成回路３２２−１にてそれぞれ得られた合成復調信号は、合成復調信号Ｆ３−ｊとして出力されるとともに、合成復調信号ＳＥとして次段の信号合成回路に出力される。また、信号合成回路３２２−ｎにてそれぞれ得られた合成復調信号は、合成復調信号Ｆ３−ｊとして出力されるとともに、合成復調信号ＳＦとして次段の信号合成回路に出力される。
【００９３】
以下同様にして構成され、最終段の信号合成回路３２３は、前段の信号合成回路にて得られた合成復調信号ＳＧ、ＳＨが入力され、それを合成して得られた信号を合成復調信号Ｆ３−ｊとして出力する。この最終段の信号合成回路３２３より出力される合成復調信号は、復調信号Ｆ２−１〜Ｆ２−Ｎのすべてを合成して得られる信号に相当する。
なお、図６に示した信号合成回路群３２０の構成は一例であり、これに限定されるものではなく様々な変形が可能であり、入力される複数の復調信号を任意に合成して合成復調信号を出力可能に構成すれば良い。
【００９４】
このように構成された本発明の第５の実施形態においては、信号合成回路群３２０にて信号合成（信号選択）する復調信号、すなわち同一チャネルの復調信号を得るように制御された受信ブランチ３００−ｉの復調信号Ｆ１−ｉを合成信号入力選択回路３２０により選択して信号合成回路群３２０に出力し、信号合成回路群３２０で合成して得られた合成復調信号を復号入力信号選択回路３３０に出力する。また、他の受信ブランチ３００−ｉとは異なるチャネルの復調信号を得るように制御された受信ブランチ３００−ｉの復調信号Ｆ１−ｉを合成信号入力選択回路３２０により復号入力信号選択回路３３０に出力する。
【００９５】
ここで、信号合成回路群３２０での信号合成において、２つのみの受信ブランチ３００−ｉの復調信号の合成であれば、２入力の信号合成回路３２１の出力を復号入力信号選択回路３３０に出力し、４つの受信ブランチ３００−ｉの復調信号の合成であれば、２入力の信号合成回路３２１の出力を、さらに２入力の信号合成回路３２２で合成し、その出力を復号入力信号選択回路３３０に出力する。また、例えば６つの受信ブランチ３００−ｉを備え、それぞれ３つの受信ブランチ３００−ｉの復調信号を合成する場合には、信号合成回路群３２０にて入力側から２段目にある信号合成回路３２２の入力を選択できるようにしておけば良い。
【００９６】
そして、信号合成回路群３２０で得られた合成復調信号Ｆ３−ｊ、及び合成信号入力選択回路３２０を介して受信ブランチ３００−ｉよりそのまま入力される復調信号Ｆ２’−ｉを復号入力信号選択回路３３０により選択して復号ブロック３４０−ｉに出力する。さらに、復号ブロック３４０−ｉで復号して得られた復号信号を出力信号選択回路３５０により後段に接続されるデコーダなどを含む出力デバイスに対して出力する。
【００９７】
以上のように本発明の第５の実施形態によれば、上述した第１〜第４の実施形態と同様に、ダイバシティ受信用又は複数チャネル同時受信用として独立して制御可能な複数の受信ブランチ３００−ｉを備えているので、復調信号を合成する受信ブランチ数を制御するとともに受信するチャネルを制御して、ダイバシティ受信装置としても複数チャネル同時受信装置としても動作させることができ、マルチ録音、マルチ録画、マルチチャネル画面等の多機能化にも対応することができる。例えば、受信状態が悪い場合には、そのチャネルの復調信号を得るように制御される受信ブランチ３００−ｉの数を増やしてダイバシティ受信効果が得られるようにし、受信状態が良い場合には、信号合成する受信ブランチ３００−ｉの数を減らすことにより複数系統のチャネルを受信することが可能になる。なお、複数の受信ブランチ３００−ｉのうち、いずれか１つを用いて受信信号に係るチャネルサーチを行うようにしても良い。
【００９８】
また、第５の実施形態では、複数の信号合成回路からなる信号合成回路群３２０の前段に合成信号入力選択回路３１０を設け、受信ブランチ３００−ｉが出力する各復調信号Ｆ１−ｉの伝送経路を任意に切り換え可能に構成しているので、少ない数の信号合成回路で、受信ブランチ３００−ｉが出力する復調信号Ｆ１−ｉを任意の組み合わせで合成することができる。
【００９９】
図７は第５の実施形態による受信装置の他の構成例を示すブロック図である。図７に示す受信装置は、図５に示した復号ブロック３４０−ｉの代わりに、機能の異なる復号ブロック４２０を設け、その他については、図５に示した受信装置と同様に構成したものである。
【０１００】
復号ブロック４２０は、復号入力信号選択回路３３０が１つの復調信号（合成復調信号を含む。）のみを選択して復号入力信号Ｆ１５として出力する場合には、図５に示した復号ブロック３４０−ｉと同一速度で動作して、復号入力信号Ｆ１５を入力してデマッピングやデインタリーブ等の処理を行い、復号信号Ｆ１６を出力するように制御される。復号ブロック４２０は、復号入力信号選択回路３３０が複数（例えば、ｋ個とする、ｋは２以上の自然数）の復調信号を選択し復号入力信号Ｆ１５として出力する場合には、選択された復調信号入力に応じて速度制御を行い、図５に示した復号ブロック３４０−ｉのｋ倍の速度で動作して、復号入力信号Ｆ１５を入力して時分割でデマッピングやデインタリーブ等の処理を行い、復号信号Ｆ１６を出力するように制御される。なお、復号ブロック４２０におけるｋ倍の動作は、例えば復号ブロック４２０に対してｋ倍周期のクロックを供給することで実現される。
【０１０１】
図７に示すように受信装置を構成しても、上述した図５に示した受信装置と同様に、ダイバシティ受信用又は複数チャネル同時受信用として独立して制御可能な複数の受信ブランチ３００−ｉを備えているので、ダイバシティ受信装置としても複数チャネル同時受信装置としても動作させることができ、マルチ録音、マルチ録画、マルチ画面等の多機能化にも対応することができる。
【０１０２】
なお、上述した説明では、復号ブロック４２０は、復号入力信号選択回路３３０に入力される復調信号のうち、復号入力信号Ｆ１５として選択し出力する復調信号の数に合わせて動作速度を変化させるようにしているが、復号入力信号Ｆ１５として入力可能な復調信号の総数倍の速度で動作させるようにしても良い。また、復号ブロック４２０が復号信号Ｆ１６として出力する復調信号の数（出力数）が予め決まっている場合には、復号ブロック４２０はその出力数倍の速度で動作させるようにしても良い。また、復号ブロック４２０をｋ倍の速度で動作させる場合に、復号ブロック４２０内部のメモリを復号入力信号Ｆ１５として入力される復号する各復調信号に割り当てて、デマッピングやデインタリーブ等の処理を行うようにしても良い。
【０１０３】
以下に第５の実施形態による受信装置の具体例について説明する。
図８は、第５の実施形態による受信装置の具体例を示すブロック図であり、２つの受信ブランチ５１０−１、５１０−２を備えた受信装置を例示している。
【０１０４】
受信ブランチ５１０−１において、５１１−１はアンテナ、５１２−１はチューナ、５１３−１は復調回路であり、図５に示したアンテナ３０１−ｉ、チューナ３０２−ｉ、復調回路３０３−ｉにそれぞれ対応する。同様に、受信ブランチ５１０−２において、５１１−２はアンテナ、５１２−２はチューナ、５１３−２は復調回路であり、図５に示したアンテナ３０１−ｉ、チューナ３０２−ｉ、復調回路３０３−ｉにそれぞれ対応する。
【０１０５】
５２０は復調回路５１３−１が出力する受信ブランチ５１０−１の復調信号Ｇ１と、復調回路５１３−２が出力する受信ブランチ５１０−２の復調信号Ｇ２とを最大比合成法等により合成して合成復調信号Ｇ３を出力する信号合成回路である。ここで、図８に示すように、受信装置が備える受信ブランチの数が２つである場合には、信号の伝送経路は固定的となり複数の信号伝送経路に対応する必要がないため、合成信号入力選択回路及びそれを制御する制御回路は設けていない。
【０１０６】
５３０は信号合成回路５２０が出力する合成復調信号Ｇ３と、復調回路５１３−１が出力する復調信号Ｇ１と、復調回路５１３−２が出力する復調信号Ｇ２を入力し、次段の復号ブロックに入力する復号入力信号を選択する復号入力信号選択回路である。
【０１０７】
５４０−１は復号入力信号選択回路５３０が出力する復号入力信号Ｇ４を入力してデマッピングやデインタリーブ等の処理を行い、符号化データ列である復号信号Ｇ６を出力する復号ブロックである。また、５４０−２は復号入力信号選択回路５３０が出力する復号入力信号Ｇ５を入力してデマッピングやデインタリーブ等の処理を行い、符号化データ列である復号信号Ｇ７を出力する復号ブロックである。
【０１０８】
５５０は復号ブロック５４０−１、５４０−２が出力する復号信号Ｇ６、Ｇ７を入力し、次段のデコーダなどに対して出力する復号信号を選択する出力信号選択回路である。なお、出力信号選択回路５５０は、次段の出力デバイスに対して出力する復号信号を選択する場合に、選択した復号信号を出力信号Ｇ８、Ｇ９のいずれとして出力させるかの選択制御を可能とされたものである。
【０１０９】
５６０−１は出力信号選択回路５５０の出力信号Ｇ８を入力して出力信号Ｇ８の符号化方式に対応したデコードを行うデコーダ（例えば、ＭＰＥＧデコーダ）である。５７１はデコーダ５６０−１が出力するデコード信号（映像信号、音声信号）が供給される出力デバイスである表示装置であり、５７２は出力信号選択回路５５０の出力信号Ｇ９を入力しそれを記録する記録装置である。
【０１１０】
５８０は選局制御信号Ｇ１４、Ｇ１５をチューナ５１２−１、５１２−２に供給し、チューナ５１２−１、５１２−２の選局動作を制御する制御回路であり、５９０は復号入力信号選択制御信号Ｇ１６を復号入力信号選択回路５３０に供給し、復号入力信号選択回路５３０の復号入力信号選択動作を制御する制御回路である。６００は出力信号選択制御信号Ｇ１７を出力信号選択回路５５０に供給し、出力信号選択回路５５０の出力信号選択動作を制御するものである。
【０１１１】
ここで、制御回路５８０、５９０、６００は、エラーレート信号Ｇ１０、ＡＧＣレベル信号Ｇ１１、優先順位信号Ｇ１２、ユーザ切換信号Ｇ１３、及び受信状態信号のうち、１以上、例えば、エラーレート信号Ｇ１０、ＡＧＣレベル信号Ｇ１１、優先順位信号Ｇ１２、及びユーザ切換信号Ｇ１３を判断信号として制御を行う。
【０１１２】
図８に示したような構成によれば、例えば受信ブランチ５１０−１、５１０−２で同一チャネルの復調信号を得るようにし、復号入力信号選択回路５３０で信号合成回路５２０が出力する合成復調信号Ｇ３を復号入力信号Ｇ４として選択し、出力信号選択回路５５０で復号ブロック５４０−１が出力する復号信号Ｇ６を選択して出力するように制御することで、受信ブランチ５１０−１、５１０−２をダイバシティ受信用に使用し、受信装置をダイバシティ受信装置として動作させることができる。そして、受信ブランチ５１０−１、５１０−２で受信した受信内容を、表示装置５７１に表示したり、記録装置５７２に記録したりすることができる。
【０１１３】
一方、例えば受信ブランチ５１０−１、５１０−２で異なるチャネルの復調信号を得るようにし、復号入力信号選択回路５３０で復調回路５１３−１、５１３−２が出力する復調信号Ｇ１、Ｇ２を復号入力信号Ｇ４、Ｇ５として選択し、出力信号選択回路５５０で復号ブロック５４０−１、５４０−２が出力する復号信号Ｇ６、Ｇ７をそれぞれ選択して出力するように制御することで、受信ブランチ５１０−１、５１０−２を２チャネル同時受信用に使用し、受信装置を２チャネル同時受信装置として動作させることができる。そして、例えば受信ブランチ５１０−１で受信した受信内容を表示装置５７１に表示し、受信ブランチ５１０−２で受信した受信内容を記録装置５７２に記録することができる。また例えば受信ブランチ５１０−１で受信した受信内容を記録装置５７２に記録し、受信ブランチ５１０−２で受信した受信内容を表示装置５７１に表示することができる。
【０１１４】
図９は、第５の実施形態による受信装置の他の具体例を示すブロック図であり、４つの受信ブランチ６１０−ｐ（ｐは添え字であり、ｐ＝１、２、３、４）を備えた受信装置を例示している。
【０１１５】
受信ブランチ６１０−ｐにおいて、６１１−ｐはアンテナ、６１２−ｐはチューナ、６１３−ｐは復調回路であり、図５に示したアンテナ３０１−ｉ、チューナ３０２−ｉ、復調回路３０３−ｉにそれぞれ対応する。
【０１１６】
６２０は復調回路６１３−ｐが出力する受信ブランチ６１０−ｐの復調信号Ｈ１、Ｈ２、Ｈ３、Ｈ４を入力し、次段の信号合成回路６３０−１、６３０−２及び復号入力信号選択回路６４０に入力する復調信号を選択的に切り換え可能な合成信号入力選択回路である。
【０１１７】
６３０−１、６３０−２はそれぞれ復調回路５１３−ｐが出力する受信ブランチ５１０−ｐの復調信号Ｈ１、Ｈ２、Ｈ３、Ｈ４のうち、いずれか２つの復調信号を最大比合成法等により合成して合成復調信号を出力する信号合成回路である。ここで、信号合成回路６３０−１、６３０−２に入力される復調信号Ｈ１、Ｈ２、Ｈ３、Ｈ４は互いに異なっている。６３０−３は信号合成回路６３０−１、６３０−２が出力する合成復調信号を最大比合成法等により合成して合成復調信号を出力する信号合成回路である。
【０１１８】
６４０は合成信号入力選択回路６２０及び信号合成回路６３０−１、６３０−２、６３０−３が出力する復調信号Ｈ５、Ｈ６、Ｈ７を入力し、次段の復号ブロックに入力する復号入力信号を選択する復号入力信号選択回路である。
【０１１９】
６５０−ｐはそれぞれが、復号入力信号選択回路６４０が出力する復号入力信号Ｈ８、Ｈ９、Ｈ１０、Ｈ１１を入力してデマッピングやデインタリーブ等の処理を行い、符号化データ列である復号信号を出力する復号ブロックである。
【０１２０】
６６０は復号ブロック６５０−ｐが出力する復号信号Ｈ１２、Ｈ１３、Ｈ１４、Ｈ１５を入力し、次段のデコーダなどに対して出力する復号信号を選択する出力信号選択回路である。ここで、出力信号選択回路６６０は、次段の出力デバイスに対して出力する復号信号を選択する場合に、選択した復号信号を出力信号Ｈ１６、Ｈ１７、Ｈ１８、Ｈ１９のいずれとして出力させるかの選択制御を可能とされたものである。
【０１２１】
６７０−１、６７０−２は出力信号選択回路６６０の出力信号Ｈ１６、Ｈ１７を入力して出力信号Ｈ１６、Ｈ１７の符号化方式に対応したデコードを行うデコーダ（例えば、ＭＰＥＧデコーダ）である。６８１はデコーダ６７０−１が出力するデコード信号（映像信号、音声信号）が供給される出力デバイスである表示装置であり、６８２はデコーダ６７０−１が出力するデコード信号（映像信号、音声信号）が供給される記録装置である。６８３は出力信号選択回路６６０の出力信号Ｈ１８として供給される復号ブロックで復号されたそのままの信号を入力しそれを記録する記録装置であり、６８４は出力信号選択回路６６０の出力信号Ｈ１９として供給される復号ブロックで復号されたそのままの信号を入力しそれを無線通信により伝送する無線装置である。
【０１２２】
６９０は選局制御信号Ｈ２４−ｐをチューナ６１２−ｐに供給し、チューナ６１２−ｐの選局動作を制御する制御回路であり、７００は復調信号選択制御信号Ｈ２５を合成信号入力選択回路６２０に供給し、合成信号入力選択回路６２０の復調信号選択動作を制御する制御回路である。７１０は復号入力信号選択制御信号Ｈ２６を復号入力信号選択回路６４０に供給し、復号入力信号選択回路６４０の復号入力信号選択動作を制御する制御回路であり、７２０は出力信号選択制御信号Ｈ２７を出力信号選択回路６６０に供給し、出力信号選択回路６６０の出力信号選択動作を制御するものである。
【０１２３】
制御回路６９０、７００、７１０、７２０は、エラーレート信号Ｈ２０、ＡＧＣレベル信号Ｈ２１、優先順位信号Ｈ２３、ユーザ切換信号Ｈ２４、及び受信状態信号のうち、１以上、例えば、エラーレート信号Ｈ２０、ＡＧＣレベル信号Ｈ２１、優先順位信号Ｈ２２、及びユーザ切換信号Ｈ２３を判断信号として制御を行う。
【０１２４】
図９に示したような構成によれば、例えば４つの受信ブランチ６１０−ｐのうち、ある複数の受信ブランチ６１０−ｐは同一チャネルの復調信号を得るように制御し、それとは異なる残りの受信ブランチ６１０−ｐは異なるチャネルの復調信号を得るように制御する。合成信号入力選択回路６２０により復調信号の伝送経路を制御し、同一チャネルの復調信号を得るように制御された受信ブランチ６１０−ｐが出力する復調信号を信号合成回路に入力し、異なるチャネルの復調信号を得るように制御された受信ブランチ６１０−ｐが出力する復調信号をそのまま復号入力信号選択回路に入力する。そして、信号合成回路にて合成された合成復調信号Ｈ６、Ｈ７及び異なるチャネルに係る復調信号Ｈ５を復号入力信号選択回路６４０により復号ブロック６５０−ｐに選択的に出力する。これにより、ダイバシティ受信用又は複数チャネル同時受信用として独立して制御可能な複数の受信ブランチ６１０−ｐを備えることで、ダイバシティ受信装置としても複数チャネル同時受信装置としても動作させることができ、マルチ録音、マルチ録画、マルチ画面等の多機能化にも対応することができる。
【０１２５】
なお、上述した各実施形態による受信装置においては、復号ブロックに入力する復号入力信号を選択する復号入力信号選択回路と、次段のデコーダなどに出力するために復号ブロックが出力する復号信号を選択する出力信号選択回路とをともに設ける構成としているが、出力信号選択回路を備えない構成としても良い。この場合には、復号入力信号選択回路と出力信号選択回路をともに設けたときにこれら２つの選択回路で実現される信号伝送路の切換を復号入力信号選択回路のみにより実現するようにすれば良い。
【０１２６】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
本発明の諸態様を付記として以下に示す。
【０１２７】
（付記１）ダイバシティ受信用又は複数チャネル同時受信用として制御可能な複数の受信ブランチを備えることを特徴とする受信装置。
（付記２）前記複数の受信ブランチの各々の受信チャネルを制御する第１の制御回路を備えることを特徴とする付記１記載の受信装置。
（付記３）前記第１の制御回路は、ユーザによる切換信号、受信状態信号、ＡＧＣレベル信号、エラーレート信号、出力デバイスに係る優先順位信号の１以上を判断信号として前記複数の受信ブランチのそれぞれの受信チャネルを切り換える機能を有することを特徴とする付記２記載の受信装置。
（付記４）前記複数の受信ブランチが出力する複数の復調信号をダイバシティ合成する信号合成回路と、前記信号合成回路が出力する復調信号および前記複数の受信ブランチが出力する復調信号を入力し、１以上の復調信号を選択する第１の選択回路を備えることを特徴とする付記１記載の受信装置。
（付記５）前記複数の受信ブランチの中の一部複数の受信ブランチが出力する複数の復調信号をダイバシティ合成する１以上の選択信号合成回路を備え、前記第１の選択回路は、前記信号合成回路が出力する復調信号、前記１以上の選択信号合成回路が出力する１以上の復調信号および前記複数の受信ブランチが出力する複数の復調信号を入力し、１以上の復調信号を選択することを特徴とする付記４記載の受信装置。
（付記６）ユーザによる切換信号、受信状態信号、ＡＧＣレベル信号、エラーレート信号、出力デバイスに係る優先順位信号の１以上を判断信号として前記第１の選択回路の選択動作を制御する第２の制御回路を備えることを特徴とする付記４記載の受信装置。
（付記７）前記第１の選択回路が出力する複数の復調信号に対応して設けられ、該複数の復調信号を復号する複数の復号ブロックを備えることを特徴とする付記４記載の受信装置。
（付記８）前記複数の復号ブロックが出力する複数の復号信号を入力し、１以上の復号信号を選択する第２の選択回路を備えることを特徴とする付記７記載の受信装置。
（付記９）ユーザによる切換信号、受信状態信号、ＡＧＣレベル信号、エラーレート信号、出力デバイスに係る優先順位信号の１以上を判断信号として前記第２の選択回路の選択動作を制御する第３の制御回路を備えることを特徴とする付記８記載の受信装置。
（付記１０）前記第１の選択回路が出力する複数の復調信号を復号する復号ブロックを備え、該復号ブロックを各復調信号に対応して復号ブロックを設けて１つの復調信号を復号する場合の速度のｋ倍（ｋ＞１）の速度で動作させることを特徴とする付記４記載の受信装置。
（付記１１）前記復号ブロックが出力する複数の復号信号を入力し、１以上の復号信号を選択する第２の選択回路を備えることを特徴とする付記１０記載の受信装置。
（付記１２）ユーザによる切換信号、受信状態信号、ＡＧＣレベル信号、エラーレート信号、出力デバイスに係る優先順位信号の１以上を判断信号として前記第２の選択回路の選択動作を制御する第３の制御回路を備えることを特徴とする付記１１記載の受信装置。
（付記１３）前記第１の選択回路が出力する複数の復調信号を時分割で復号できる復号ブロックを備えることを特徴とする付記４記載の受信装置。
（付記１４）前記第１の選択回路が出力する複数の復調信号を復号する復号ブロックを備え、該復号ブロック内のメモリを前記各復調信号に割り当てて複数の復調信号を復号することを特徴とする付記４記載の受信装置。
（付記１５）前記第２の選択回路の出力信号を入力して該出力信号の符号化方式に対応したデコードを行うデコーダを備えることを特徴とする付記８記載の受信装置。
（付記１６）前記複数の受信ブランチが出力する複数の復調信号を入力し、該復調信号を前記信号合成回路又は前記第１の選択回路に選択的に出力する第３の選択回路を備えることを特徴とする付記４記載の受信装置。
（付記１７）ユーザによる切換信号、受信状態信号、ＡＧＣレベル信号、エラーレート信号、出力デバイスに係る優先順位信号の１以上を判断信号として前記第３の選択回路の選択動作を制御する第４の制御回路を備えることを特徴とする付記１６記載の受信装置。
（付記１８）前記第２の選択回路より出力される復号信号に係る復調映像信号を録画する機能及び復調音声信号を録音する機能の少なくとも一方を有することを特徴とする付記８記載の受信装置。
【図面の簡単な説明】
【０１２８】
【図１】本発明の第１の実施形態による受信装置の構成例を示すブロック図である。
【図２】本発明の第２の実施形態による受信装置の構成例を示すブロック図である。
【図３】本発明の第３の実施形態による受信装置の構成例を示すブロック図である。
【図４】本発明の第４の実施形態による受信装置の構成例を示すブロック図である。
【図５】本発明の第５の実施形態による受信装置の構成例を示すブロック図である。
【図６】信号合成回路群の構成例を示す図である。
【図７】第５の実施形態による受信装置の他の構成例を示すブロック図である。
【図８】第５の実施形態による受信装置の具体例を示すブロック図である。
【図９】第５の実施形態による受信装置の他の具体例を示すブロック図である。
【図１０】従来の受信装置の一構成例を示すブロック図である。
【符号の説明】
【０１２９】
１０、２０…受信ブランチ
１１、２１…アンテナ
１２、２２…チューナ
１３、２３…復調回路
３０…信号合成回路
４０…復号ブロック
５０…デコーダ
６０…出力デバイス
７０、８０…受信ブランチ
７１、８１…アンテナ
７２、８２…チューナ
７３、８３…復調回路
９０…信号合成回路
１００…復号入力信号選択回路
１１１、１１２、１１３…復号ブロック
１２０…出力信号選択回路
１３１、１３２…デコーダ
１４１…表示装置
１４２…録画装置
１５０、１６０、１７０…制御回路
１８０、１９０、２００…受信ブランチ
１８１、１９１、２０１…アンテナ
１８２、１９２、２０２…チューナ
１８３、１９３、２０３…復調回路
２１１…信号合成回路
２１２、２１３、２１４…選択信号合成回路
２２０…復号入力信号選択回路
２３１、２３２、２３３…復号ブロック
２４０…出力信号選択回路
２５１、２５２、２５３…デコーダ
２６１、２６２、２６３…出力デバイス
２７０、２８０、２９０…制御回路
【図１】
2007013906.tif 000003
【図２】
2007013906.tif 000004
【図３】
2007013906.tif 000005
【図４】
2007013906.tif 000006
【図５】
2007013906.tif 000007
【図６】
2007013906.tif 000008
【図７】
2007013906.tif 000009
【図８】
2007013906.tif 000010
【図９】
2007013906.tif 000011
【図１０】
2007013906.tif 000012